(57)【要約】【課題】  本発明は、ビデオ信号処理装置及びビデオ信号の処理方法に関し、例えばフォーマット変換等に適用して、動き検出によりフィールド間ライン内挿処理、フィールド内ライン内挿処理を切り換える場合において、縞模様の発生を有効に回避することができるようにする。【解決手段】  本発明は、フレーム間差分Ｓ６が小さい場合でも、このフレーム間差分Ｓ６が時間軸方向に一様に立ち上がっている場合、又は立ち下がっている場合、フィールド内ライン内挿処理によりライン内挿する。【選択図】        図１
2005051658.tif 000002
【特許請求の範囲】
【請求項１】
動き検出結果によりフィールド内ライン内挿処理とフィールド間ライン内挿処理とを切り換えてビデオ信号を処理するビデオ信号処理装置において、
連続する複数のフィールドで、フレーム間差分が一様に立ち上がっている場合、又は前記フレーム間差分が一様に立ち下がっている場合を検出する検出手段を有し、
前記検出手段の検出結果に基づいて、前記連続する複数のフィールドで、フレーム間差分が一様に立ち上がっている場合、又は前記フレーム間差分が一様に立ち下がっている場合、前記フィールド内ライン内挿処理により前記ビデオ信号を処理する
ことを特徴とするビデオ信号処理装置。
【請求項２】
前記検出手段は、
前記フレーム間差分を検出する差分演算回路と、
前記差分演算回路による検出結果を順次フィールド単位で遅延させる複数の遅延回路と、
前記複数の遅延回路の出力を加算する加算回路と、
前記加算回路の加算結果を判定基準値により判定する判定回路とを有する
ことを特徴とする請求項１に記載のビデオ信号処理装置。
【請求項３】
前記差分演算回路は、
前記フレーム間差分の絶対値が所定値以下の場合、前記フレーム間差分の検出結果を値０に設定して出力する
ことを特徴とする請求項２に記載のビデオ信号処理装置。
【請求項４】
前記差分演算回路は、
前記フレーム間差分の絶対値が所定値以上に立ち上がっている場合と立ち上がっていない場合とを示す１ビットのデータと、前記フレーム間差分の極性を示す１ビットのデータとにより前記フレーム間差分の検出結果を出力し、
前記加算回路及び前記判定回路は、
前記複数の遅延回路の出力の論理演算により、前記判定結果を出力する
ことを特徴とする請求項２に記載のビデオ信号処理装置。
【請求項５】
動き検出結果によりフィールド内ライン内挿処理とフィールド間ライン内挿処理とを切り換えてビデオ信号を処理するビデオ信号の処理方法において、
連続する複数のフィールドで、フレーム間差分が一様に立ち上がっている場合、又は前記フレーム間差分が一様に立ち下がっている場合を検出し、
該検出結果に基づいて、前記連続する複数のフィールドで、フレーム間差分が一様に立ち上がっている場合、又は前記フレーム間差分が一様に立ち下がっている場合、前記フィールド内ライン内挿処理により前記ビデオ信号を処理する
ことを特徴とするビデオ信号の処理方法。
【発明の詳細な説明】
【技術分野】
【０００１】
本発明は、ビデオ信号処理装置及びビデオ信号の処理方法に関し、例えばフォーマット変換等に適用することができる。本発明は、フレーム間差分が小さい場合でも、このフレーム間差分が時間軸方向に一様に立ち上がっている場合、又は一様に立ち下がっている場合には、フィールド内ライン内挿処理によりライン内挿することにより、動き検出によりフィールド間ライン内挿処理、フィールド内ライン内挿処理を切り換える場合において、縞模様の発生を有効に回避することができるようにする。
【背景技術】
【０００２】
従来、ビデオ信号処理装置であるフォーマット変換装置等においては、ライン内挿処理によりビデオ信号のサンプリングレートを変換するようになされている。このような装置におけるライン内挿処理においては、例えばLEE,March ’８１：TV Standards Converters Meeting Needs of Expanded Broadcasting Ranges に紹介されているように、動き検出結果に基づいてライン内挿処理をフィールド内とフィールド間とで切り換え、これにより画質劣化を防止するようになされている。すなわちこの種の処理においては、動きが検出されると、フィールド間ライン内挿処理によりビデオ信号を処理するのに対し、動きが検出されない場合には、フィールド内ライン内挿処理によりビデオ信号を処理するようになされている。また動き検出においては、例えばいわゆるフレーム間差分により検出するようになされている。
【０００３】
しかしながら処理対象であるビデオ信号においては、フェードイン、フェードアウト等の場面で、フレーム間で徐々にビデオ信号の信号レベルが変化しているものの、動き検出によっては動きが検出されない場合がある。このような場合に、単に動き検出結果によりライン内挿処理を切り換えていたのでは、フレーム間ライン内挿処理が選択されて表示画面に横方向の縞模様が発生する問題がある。
【０００４】
すなわち図３は、このような縞模様の発生原因の説明に供する図表である。なお、以下においては、説明の簡略化のために、２ラインを用いたフィールド間ライン内挿処理により、ライン数を５ラインから６ラインに変換する場合について説明する。この図においては、符号Ａ１、Ａ２、Ａ３及び符号Ｂ１、Ｂ２、Ｂ３がそれぞれ前フィールド及び現フィールドにおける対応する各画素であり、符号Ｃ１、Ｃ２、Ｃ３がフィールド間ライン内挿処理によって作成される画素である。
【０００５】
ライン内挿処理においては、この場合、前フィールドの重み付け係数と現フィールドの重み付け係数との加算値が値１となるように内挿比が設定されるものの、ライン数変換においては、内挿処理に係る各ラインによって重み付け係数が異なることになる。これにより内挿処理により生成される内挿フィールドにおいては、ラインによって本来の階調より変化し、これにより横方向に縞模様が発生することになる。この現象は、画面内で階調が徐々に変化している場合はもとより、画面内の階調が一様な場合でも縞模様が発生することになる。なお図３においては、それぞれ矢印に付した１／３等の数字が内挿比である。
【０００６】
この問題を解決する１つの方法として、このような場合にはフィールド内ライン内挿処理を選択するように、動き検出の感度を向上させることが考えられる。すなわち例えば５２５／５９．９４のＴＶ方式において、ビデオ信号が８ビットにより構成されている場合に、このビデオ信号が２秒間で２５５階調から０階調まで変化した場合、１フィールド当たりの変化量は、２５５階調／１２０フィールド＝２となる。これによりこの場合、フィールド間で１つの画素値が２階調変化した場合に、動き検出するように、動き検出の感度を向上すれば良いことになる。
【０００７】
しかしながらこのように動き検出の感度を向上させると、動き検出が敏感になり過ぎ、ノイズによっても動き検出してしまう問題がある。
【非特許文献１】LEE,March ’８１：TV Standards Converters Meeting Needs of Expanded Broadcasting Ranges
【発明の開示】
【発明が解決しようとする課題】
【０００８】
本発明は以上の点を考慮してなされたもので、動き検出によりフィールド間ライン内挿処理、フィールド内ライン内挿処理を切り換える場合において、縞模様の発生を有効に回避することができるビデオ信号処理装置及びビデオ信号の処理方法を提案しようとするものである。
【課題を解決するための手段】
【０００９】
係る課題を解決するため請求項１の発明においては、動き検出結果によりフィールド内ライン内挿処理とフィールド間ライン内挿処理とを切り換えてビデオ信号を処理するビデオ信号処理装置に適用して、連続する複数のフィールドで、フレーム間差分が一様に立ち上がっている場合、又は前記フレーム間差分が一様に立ち下がっている場合を検出する検出手段を有し、前記検出手段の検出結果に基づいて、前記連続する複数のフィールドで、フレーム間差分が一様に立ち上がっている場合、又は前記フレーム間差分が一様に立ち下がっている場合、前記フィールド内ライン内挿処理により前記ビデオ信号を処理する。
【００１０】
また請求項２の発明においては、請求項１の構成において、前記検出手段は、前記フレーム間差分を検出する差分演算回路と、前記差分演算回路による検出結果を順次フィールド単位で遅延させる複数の遅延回路と、前記複数の遅延回路の出力を加算する加算回路と、前記加算回路の加算結果を判定基準値により判定する判定回路とを有するようにする。
【００１１】
また請求項３の発明においては、請求項２の構成において、前記差分演算回路は、前記フレーム間差分の絶対値が所定値以下の場合、前記フレーム間差分の検出結果を値０に設定して出力する。
【００１２】
また請求項４の発明においては、請求項２の構成において、前記差分演算回路は、前記フレーム間差分の絶対値が所定値以上に立ち上がっている場合と立ち上がっていない場合とを示す１ビットのデータと、前記フレーム間差分の極性を示す１ビットのデータとにより前記フレーム間差分の検出結果を出力し、前記加算回路及び前記判定回路は、前記複数の遅延回路の出力の論理演算により、前記判定結果を出力するようにする。
【００１３】
また請求項５の発明においては、動き検出結果によりフィールド内ライン内挿処理とフィールド間ライン内挿処理とを切り換えてビデオ信号を処理するビデオ信号の処理方法に適用して、連続する複数のフィールドで、フレーム間差分が一様に立ち上がっている場合、又は前記フレーム間差分が一様に立ち下がっている場合を検出し、該検出結果に基づいて、前記連続する複数のフィールドで、フレーム間差分が一様に立ち上がっている場合、又は前記フレーム間差分が一様に立ち下がっている場合、前記フィールド内ライン内挿処理により前記ビデオ信号を処理する。
【００１４】
請求項１の構成に係る、連続する複数のフィールドで、フレーム間差分が一様に立ち上がっている場合、又はフレーム間差分が一様に立ち下がっている場合を検出する検出手段にあっては、フレーム間差分が小さく、動き検出により静止画と判定される場合でも、複数の連続したフィールドにおける一様な立ち下がり、立ち上がりを検出することにより、ノイズの影響を有効に回避して、高い検出感度により、動画を検出することができる。これによりこの検出手段の検出結果に基づいて、連続する複数のフィールドで、フレーム間差分が一様に立ち上がっている場合、又はフレーム間差分が一様に立ち下がっている場合、フィールド内ライン内挿処理によりビデオ信号を処理するようにすれば、縞模様の発生を有効に回避することができる。
【００１５】
また請求項２の構成により、請求項１の構成において、前記検出手段は、前記フレーム間差分を検出する差分演算回路と、前記差分演算回路による検出結果を順次フィールド単位で遅延させる複数の遅延回路と、前記複数の遅延回路の出力を加算する加算回路と、前記加算回路の加算結果を判定基準値により判定する判定回路とを有するようにすれば、連続する複数のフィールドで、フレーム間差分が一様に立ち上がっている場合、又はフレーム間差分が一様に立ち下がっている場合を検出することができる。
【００１６】
また請求項３の構成により、請求項２の構成において、前記差分演算回路は、前記フレーム間差分の絶対値が所定値以下の場合、前記フレーム間差分の検出結果を値０に設定して出力すれば、ノイズによる影響を少なくすることができる。
【００１７】
また請求項４の発明においては、請求項２の構成において、前記差分演算回路は、前記フレーム間差分の絶対値が所定値以上立ち上がっている場合と立ち上がっていない場合とを示す１ビットのデータと、前記フレーム間差分の極性を示す１ビットのデータとにより前記フレーム間差分の検出結果を出力し、前記加算回路及び前記判定回路は、前記複数の遅延回路の出力の論理演算により、前記判定結果を出力するようにすれば、結局、差分演算回路による検出結果を２ビットにより処理し得、その分、全体の構成を簡略化することができる。
【００１８】
また請求項５の構成により、動き検出結果によりフィールド内ライン内挿処理とフィールド間ライン内挿処理とを切り換えてビデオ信号を処理するビデオ信号の処理方法に適用して、連続する複数のフィールドで、フレーム間差分が一様に立ち上がっている場合、又は前記フレーム間差分が一様に立ち下がっている場合を検出し、該検出結果に基づいて、前記連続する複数のフィールドで、フレーム間差分が一様に立ち上がっている場合、又は前記フレーム間差分が一様に立ち下がっている場合、前記フィールド内ライン内挿処理により前記ビデオ信号を処理すれば、縞模様の発生を有効に回避することができる。
【発明の効果】
【００１９】
本発明によれば、動き検出によりフィールド間ライン内挿処理、フィールド内ライン内挿処理を切り換える場合において、縞模様の発生を有効に回避することができる。
【発明を実施するための最良の形態】
【００２０】
以下、適宜図面を参照しながら本発明の実施例を詳述する。
【実施例１】
【００２１】
（１）実施例の構成
図１は、本発明の実施例１に係るビデオ信号処理装置を示すブロック図である。このビデオ信号処理装置１は、フォーマット変換に適用して、ビデオ信号Ｓ１のライン数を変換する。
【００２２】
このビデオ信号処理装置１において、フィールドメモリ（ＦＭ）２は、このビデオ信号Ｓ１を１フィールドの期間、遅延させてなる遅延ビデオ信号Ｓ２を出力する。フィールド間ライン内挿処理回路３は、このフィールドメモリ２の入出力信号Ｓ１、Ｓ２による連続するフィールドのビデオ信号によりライン内挿の処理を実行し、処理結果であるビデオ信号Ｓ３を出力する。これに対してフィールド内ライン内挿処理回路４は、このビデオ信号処理装置１に入力するビデオ信号Ｓ１よりライン内挿の処理を実行し、処理結果であるビデオ信号Ｓ４を出力する。このビデオ信号処理装置１において、これらフィールド間ライン内挿処理回路３、フィールド内ライン内挿処理回路４は、ライン数の変換に供するように構成され、これによりこのビデオ信号処理装置１では、フィールド間ライン内挿処理によるビデオ信号Ｓ３とフィールド内ライン内挿処理によるビデオ信号Ｓ４とを同時並列的に生成するようになされている。
【００２３】
フィールドメモリ５は、フィールドメモリ２から出力される遅延ビデオ信号Ｓ２から輝度信号を選択的に入力し、この輝度信号をさらに１フィールドの期間、遅延させてなる遅延ビデオ信号Ｓ５を出力する。
【００２４】
差分演算回路６は、ビデオ信号Ｓ１の輝度信号から対応する遅延ビデオ信号Ｓ５を減算し、フレーム間の信号レベル差を示すフレーム間差分信号Ｓ６を出力する。なおこのフレーム間差分信号Ｓ６の検出にあっては、輝度信号に代えて、又は輝度信号に加えて、色差信号、色信号を使用するようにしてもよく、これらを併用する場合には、さらに一段と縞模様の発生を防止することができる。
【００２５】
この処理において、差分演算回路６は、ビデオ信号Ｓ１から遅延ビデオ信号Ｓ５を減算して得られる差分信号を遅延ビデオ信号Ｓ５の信号レベルにより割り算することにより、フレーム間差分信号Ｓ６を正規化する。なお正規化の処理においては、例えばビデオ信号Ｓ１を基準にする場合等、種々の方法を適用することができる。これによりこのビデオ信号処理装置１では、このフレーム間差分信号Ｓ６の処理に係る後段の構成を簡略化するようになされている。
【００２６】
さらに差分演算回路６は、このようにして正規化したフレーム間差分信号を所定の判定基準値αにより判定し、この判定基準値α以下については、信号レベルを値０に設定して出力する。なおこの判定基準値αは、０に近い値であり、縞模様の発生を知覚できないように設定される。これによりこのビデオ信号処理装置１では、ノイズの影響を軽減するようになされている。
【００２７】
フィールドメモリ（ＦＭ）７、８、９、１０は、この差分演算回路６から出力されるフレーム間差分信号Ｓ６を順次１フィールドの期間づつ遅延させて出力する。これによりこのビデオ信号処理装置１では、連続する５つのフィールドのフレーム間差分を検出するようになされている。
【００２８】
動き検出回路１１は、フィールドメモリ１０から出力されるフレーム間差分信号を絶対値化した後、所定の判定基準により判定することにより、ビデオ信号Ｓ１を動き検出して動き検出結果を出力する。
【００２９】
加算回路１２は、差分演算回路６から出力されるフレーム間差分信号Ｓ６、フィールドメモリ７、８、９、１０からそれぞれ出力されるフレーム間差分信号を入力し、これらによる連続する５つのフィールドのフレーム間差分を加算して出力する。
【００３０】
ここで動き検出されない程度にフレーム間差分信号の信号レベルが小さい場合でも、フェードイン、フェードアウトのように、連続するフィールドで信号レベルが一方向に徐々に変化している場合、フィールドメモリ７〜１０による連続する５つのフィールドのフレーム間差分においては、ほぼ一定の値となる。すなわちビデオ信号Ｓ１において、例えばフェードインのように信号レベルが徐々に立ち上がっている場合、連続する５つのフィールドのフレーム間差分においては、正のほぼ一定値となる。これとは逆にフェードアウトのように、信号レベルが徐々に立ち下がっている場合、連続する５つのフィールドのフレーム間差分においては、負のほぼ一定値となる。すなわちこれらの場合、これら連続する５つのフィールドのフレーム間差分においては、一様に、信号レベルが立ち上がり、又は信号レベルが立ち下がることになる。
【００３１】
これに対して連続するフィールドが静止画であって、これらのフィールドにおける信号レベルの変化がノイズによるものの場合、連続する５つのフィールドのフレーム間差分においては、正及び負のランダムな値となる。
【００３２】
これらによりこのような連続する５つのフィールドのフレーム間差分をローパスフィルタにより処理して信号レベルを判定すれば、動き検出されない程度にフレーム間差分信号の信号レベルが小さい場合でも、ノイズの影響を有効に回避して高い検出精度により動き検出することができる。しかしてこのようなローパスフィルタによる処理においては、フィルタによる処理の他、積分処理、加算処理を適用し得、この実施例では、加算回路１２による加算の処理が適用されるようになされている。
【００３３】
しかして続く判定回路１３は、この加算回路１２から出力される加算結果より、連続する５つのフィールドのフレーム間差分が一様に立ち上がっている場合、立ち下がっている場合を検出する。すなわち判定回路１３は、加算回路１２から出力されるフレーム間差分信号の加算信号を絶対値化した後、所定の判定基準値βと比較することにより、連続する５つのフィールドで検出されるフレーム間差分が一様に立ち上がっている場合、立ち下がっている場合を検出する。
【００３４】
判定回路１３は、この検出結果により動き検出回路１１から出力される動き検出結果を補正して荷重加算回路１４に出力する。具体的に、判定回路１３は、動き検出回路１１から出力される動き検出結果で何ら動き検出されていない場合、すなわちビデオ信号Ｓ１が静止画であるとの動き検出結果が得られている場合に、連続する５つのフィールドのフレーム間差分が一様に立ち上がっている場合、又は立ち下がっている場合、静止画であるとの動き検出結果を動画の動き検出結果に補正して出力する。
【００３５】
荷重加算回路１４は、この判定回路１３で補正されて出力される動き検出結果により、フィールド間ライン内挿処理結果Ｓ３、フィールド内ライン内挿処理結果Ｓ４を選択出力する。この処理において、荷重加算回路１４は、これらフィールド間ライン内挿処理結果Ｓ３、フィールド内ライン内挿処理結果Ｓ４を重み付け加算して出力するようにして、この重み付け加算に供する重み付け係数の切り換えにより、これらフィールド間ライン内挿処理結果Ｓ３、フィールド内ライン内挿処理結果Ｓ４を選択出力する。またフィールド間ライン内挿処理結果Ｓ３、フィールド内ライン内挿処理結果Ｓ４の切り換えの際に、この重み付け係数を徐々に変化させ、これによりこれら内挿処理の切り換えにおける違和感を解消する。
【００３６】
（２）実施例の動作
以上の構成において、このビデオ信号処理装置１において、ビデオ信号Ｓ１は、フィールドメモリ２により１フィールドの期間遅延されて遅延ビデオ信号Ｓ２が生成される。ビデオ信号処理装置１では、これらビデオ信号Ｓ１及び遅延ビデオ信号Ｓ２がフィールド間ライン内挿処理回路３に入力されてライン内挿処理に供され、フィールド間ライン内挿処理によるビデオ信号Ｓ３が生成される。またビデオ信号Ｓ１が直接フィールド内ライン内挿処理回路４により処理されてフィールド内ライン内挿処理によるビデオ信号Ｓ４が生成され、これらビデオ信号Ｓ３及びＳ４が動き検出回路１１による動き検出結果により荷重加算回路１４より選択出力される。
【００３７】
このビデオ信号処理装置１では、このようなフィールド間ライン内挿処理に供する遅延ビデオ信号Ｓ２が、フィールドメモリ５によりさらに１フィールド遅延されてビデオ信号Ｓ１に対して１フレーム遅延してなる遅延ビデオ信号Ｓ５が生成され、これらビデオ信号Ｓ１及び遅延ビデオ信号Ｓ５間で、輝度信号によるフレーム間差分信号Ｓ６が生成される。またこのフレーム間差分信号Ｓ６が、フィールドメモリ７〜１０により順次遅延されて、連続する５フィールドのフレーム間差分信号が生成される。
【００３８】
このようにして生成される連続する５フィールドのフレーム間差分信号にあっては、例えばフェードインのようにビデオ信号Ｓ１の信号レベルが徐々に立ち上がっている場合、正のほぼ一定値に立ち上がるのに対し、フェードアウトのように、ビデオ信号Ｓ１の信号レベルが徐々に立ち下がっている場合、負のほぼ一定値に立ち下がり、静止画の場合にあっては、ノイズに応じて正側及び負側にランダムに変化することになる。
【００３９】
これによりビデオ信号処理装置１では、これら連続する５フィールドのフレーム間差分信号が加算回路１２で加算された後、判定回路１３で絶対値化されて所定の判定基準βで判定され、動き検出では静止画と判定されるようなフェードイン、フェードアウト等に係る動画が検出される。
【００４０】
これによりビデオ信号処理装置１では、この判定結果により動き検出回路１１の動き検出結果が補正されて、フレーム間差分が小さい場合でも、このフレーム間差分が時間軸方向に一様に立ち上がっている場合、又は立ち下がっている場合には、フィールド内ライン内挿処理によりライン内挿するように、荷重加算回路１４による選択出力が制御され、縞模様の発生が有効に回避される。
【００４１】
このようにして処理につき、このビデオ信号処理装置１では、差分演算回路６からフレーム間差分を出力する際に、このフレーム間差分を判定基準値αにより判定して、フレーム間差分が値０近傍の場合には値０に設定し、これにより以降の処理におけるノイズの影響を回避できるようになされている。またこの処理において、フレーム間差分を正規化して処理することにより、信号レベルによる処理結果の変化を防止できるようになされている。
【００４２】
（３）実施例の効果
以上の構成によれば、フレーム間差分が小さい場合でも、このフレーム間差分が時間軸方向に一様に立ち上がっている場合、又は立ち下がっている場合、フィールド内ライン内挿処理によりライン内挿することにより、動き検出によりフィールド間ライン内挿処理、フィールド内ライン内挿処理を切り換える場合において、縞模様の発生を有効に回避することができる。
【００４３】
またこのようなフレーム間差分の一様な立ち上がり、立ち下がりを、フレーム間差分を順次フィールド単位で遅延させて連続する複数フィールドのフレーム間差分を形成し、この連続する複数フィールドのフレーム間差分の加算結果を判定基準値により判定して検出することにより、ノイズの影響を有効に回避して簡易かつ確実に検出することができる。
【００４４】
またこの処理において、フレーム間差分の絶対値が所定値以下の場合、フレーム間差分を値０に設定することにより、ノイズによる影響を有効に回避することができる。
【実施例２】
【００４５】
図２は、本発明の実施例２に係るビデオ信号処理装置を示すブロック図である。このビデオ信号処理装置２１においては、フレーム間差分が２ビットのデータにより表現され、このフレーム間差分に係る構成が異なる点を除いて、実施例１に係るビデオ信号処理装置１と同一に構成される。なおこれにより図２において、図１と同一の構成は対応する符号を付して示し、重複した説明は省略する。
【００４６】
このビデオ信号処理装置２１において、差分演算回路２６は、ビデオ信号Ｓ１及び遅延ビデオ信号Ｓ５の輝度信号間で減算処理を実行することにより、フレーム間差分を検出する。また差分演算回路２６は、このフレーム間差分を正側、負側の値０近傍に設定された第１及び第２の判定基準値、０レベルにより判定し、フレーム間差分の絶対値が所定値以上立ち上がっている場合と立ち上がっていない場合とを示す１ビットのデータと、フレーム間差分の極性を示す１ビットのデータとによりフレーム間差分の検出結果を出力する。
【００４７】
フィールドメモリ（ＦＭ）２７〜３０は、実施例１に係るビデオ信号処理装置１のフィールドメモリ７〜１０に対応する構成であり、この２ビットによるフレーム間差分の検出結果を順次１フィールド単位で遅延させて出力する。これによりこのビデオ信号処理装置２１では、連続する５つのフィールドのフレーム間差分を、それぞれ２ビットのデータにより生成するようになされている。
【００４８】
判定回路３３は、この５つのフィールドの２ビットのデータによるフレーム間差分を論理演算することにより、実施例１に係るビデオ信号処理装置１の加算回路１２、判定回路１３と同様に、フレーム間差分が時間軸方向に一様に立ち上がっている場合、立ち下がっている場合を検出し、この検出結果による動き検出回路１１の動き検出結果を補正して、荷重加算回路１４の動作を制御する。
【００４９】
これによりこの実施例においては、これらフレーム間差分が時間軸方向に一様に立ち上がっている場合、立ち下がっている場合の検出に係る構成を簡略化するようになされている。
【００５０】
実際上、フレーム間差分信号の絶対値が所定値以上立ち上がっている場合を論理「１」に設定すれば、判定回路３３における判定においては、５つの連続するフィールドで、この論理レベルの設定に係る１ビットを論理積演算することにより連続する５フィールドでフレーム間差分信号の絶対値が連続して立ち上がっている場合を検出することができる。これにより符号の設定に係る１ビットを同様に処理して、これら絶対値の立ち上がりが同一の極性によるものか否か判定して判定結果を得ることができ、その分、判定回路の構成を簡略化することができる。またフィールドメモリ２７〜３０においても、２ビットで構成できることにより、構成を簡略化することができる。
【００５１】
なおこれらフレーム間差分を２ビットのデータにより出力することにより、動き検出回路３１は、別途フレーム間差分により動き検出するようになされている。
【００５２】
以上の構成によれば、フレーム間差分の絶対値が所定値以上立ち上がっている場合と立ち上がっていない場合とを示す１ビットのデータと、フレーム間差分の極性を示す１ビットのデータとによりフレーム間差分の検出結果を出力することにより、全体の構成を一段と簡略化して実施例１と同様の効果を得ることができる。
【実施例３】
【００５３】
なお上述の実施例１においては、フレーム間差分を正規化して出力する場合について述べたが、本発明はこれに限らず、実用上充分な場合には、正規化の処理を省略してもよく、また加算回路における処理において、正規化の処理を実行してもよい。
【００５４】
また上述の実施例２においては、単にフレーム間差分を２ビットのデータに変換して出力する場合について述べたが、本発明はこれに限らず、正規化した後、２ビットのデータに変換して出力するようにしてもよい。
【００５５】
また上述の実施例においては、本発明をフォーマットの変換に適用してライン数を変換する場合について述べたが、本発明はこれに限らず、画像の拡大、縮小等の、種々のビデオ信号の処理に広く適用することができる。
【産業上の利用可能性】
【００５６】
本発明は、例えばビデオ信号のフォーマット変換に適用することができる。
【図面の簡単な説明】
【００５７】
【図１】本発明の実施例１に係るビデオ信号処理装置を示すブロック図である。
【図２】本発明の実施例２に係るビデオ信号処理装置を示すブロック図である。
【図３】フィールド間ライン内挿処理による縞模様の説明に供する図表である。
【符号の説明】
【００５８】
１、２１……ビデオ信号処理装置、２、５、７〜１０、２７〜３０……フィールドメモリ、３……フィールド間ライン内挿回路、４……フィールド内ライン内挿回路、６、２６……差分演算回路、１１、３１……動き検出回路、１２……加算回路、１３、３３……判定回路、１４……荷重加算回路
【図１】
2005051658.tif 000003
【図２】
2005051658.tif 000004
【図３】
2005051658.tif 000005